【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
以下の段階を含む、利用者の位置に応じて気象予報を提供する方法：
半径約５ｋｍまでの地域を決定する；および
前記地域の約６０分未満の時間期間の気象予報を決定する。
【請求項２】
前記地域を決定することは、利用者の現在位置を決定することをさらに含む請求項１記載の方法。
【請求項３】
現在位置は、無線装置の位置に応じて決定される請求項２記載の方法。
【請求項４】
現在位置は、ＧＳＰ装置の位置に応じて決定される請求項２記載の方法。
【請求項５】
現在位置は、指標の位置に応じて決定される請求項２記載の方法。
【請求項６】
現在位置は、利用者によって提供される情報に応じて決定される請求項２記載の方法。
【請求項７】
現在位置は、サードパーティの装置によって提供される情報に応じて決定される請求項２記載の方法。
【請求項８】
前記位置を決定することは、利用者にとって関心のある位置を決定することをさらに含む請求項１記載の方法。
【請求項９】
関心のある前記位置は、利用者によって提供される請求項８記載の方法。
【請求項１０】
前記気象予報を決定することは、複数の気象パラメータを組み合わせることをさらに含む請求項８記載の方法。
【請求項１１】
前記複数の気象パラメータは、降雨のタイプ、程度、発達および動きを含む請求項１０記載の方法。
【請求項１２】
前記複数の気象パラメータは、雲の有無、高度、密度、雲の動き、雲の発達状況のような雲の状況をさらに含む請求項１０記載の方法。
【請求項１３】
前記複数の気象パラメータは、風向、風速、温度、有効温度（風速冷却指数）、湿度、日射量、紫外線量および気圧をさらに含む請求項１０記載の方法。
【請求項１４】
前記複数の気象パラメータは、汚染データをさらに含む請求項１０記載の方法。
【請求項１５】
前記汚染データは、汚染ガス、汚染粒子、又は花粉のうちの少なくとも一つについての情報を含む請求項１４記載の方法。
【請求項１６】
前記複数の気象パラメータは、環境パラメータをさらに含む請求項１０記載の方法。
【請求項１７】
前記複数の気象パラメータは、熱ストレス、風速冷却指数、霜、さまざまな肌質についての安全な露出時間、熱射病を回避するための安全な時間、および大気の質の健康指標をさらに含む請求項１６記載の方法。
【請求項１８】
前記地域は、約１平方キロメートルであり、前記時間期間は、それぞれ約１分の部分に分割される請求項１記載の方法。
【請求項１９】
気象予報を決定するとことは、決定論的アルゴリズムに従って実行される請求項１８記載の方法。
【請求項２０】
前記時間期間は、それぞれ約５分の部分に分割される請求項１記載の方法。
【請求項２１】
前記気象予報を決定することは、少なくとも一つの時間又は時間において異なる解像度をもつ複数の異なるデータ取得元からのデータを組み合わせることをさらに含む請求項１記載の方法。
【請求項２２】
利用者に気象予報についての情報を表示することをさらに含む請求項２１記載の方法。
【請求項２３】
前記情報を表示することは、コンピュータ、ＰＤＡ、携帯電話、ペジャー、表示専用装置、公共の表示装置のうちの少なくとも一つで実行される請求項２２記載の方法。
【請求項２４】
前記情報を表示することは、サードパーティの装置、あるいはハードウェアの少なくとも一つで実行され、前記ハードウェアは専用チップを備える請求項２２記載の方法。
【請求項２５】
前記情報を表示することは、サードパーティのアプリケーションにおいて実行される請求項２３記載の方法。
【請求項２６】
前記サードパーティのアプリケーションは、営業促進のために利用される請求項２５記載の方法。
【請求項２７】
利用者についての個人用の情報は、サードパーティのアプリケーションにアクセスできるデータベースに保存される請求項２５記載の方法。
【請求項２８】
前記複数の異なるデータ取得元は、気象衛星、気象レーダー、大気監視所、あるいは公共の気象サービスのうちの少なくとも二つを含む請求項２１記載の方法。
【請求項２９】
前記複数の異なるデータ取得元は、気象衛星のデータ、気象レーダーのデータ、大気の質のデータのうちの少なくとも一つを含む請求項２８記載の方法。
【請求項３０】
前記複数の異なるデータ取得元は、晴天分布図、紫外線分布図、汚染分布図、地形図、衛星画像図、レーダー図、および花粉飛散分布図のうちの少なくとも一つを含む請求項２８記載の方法。
【請求項３１】
前記気象予報を決定することは以下のことを含む請求項２１記載の方法：
所定の時間について地理的な領域にわたって作図する；および
前記図を複数のセルへ分割して地域図を形成する（ただし、前記気象予報を決定することはセルごとに別個に実行される）。
【請求項３２】
前記分割は、各セルのためにナウキャスティング情報原型を作成することをさらに含み、各セルは、約１分の解像度を有する請求項３１記載の方法。
【請求項３３】
前記分割は、各セルのためにナウキャスティング情報原型を作成することをさらに含み、各セルは、約５分の解像度を有する請求項３１記載の方法。
【請求項３４】
前記気象予報を決定することは以下のことを含む請求項２１記載の方法：
所定の時間について地理的な領域にわたって作図する；および
前記図を複数のセルへ分割して地域図を形成する（ただし、前記気象予報を決定することは気象特性に対応する複数のセルについて実行される）。
【請求項３５】
前記分割は、各セルのためにナウキャスティング情報原型を作成することをさらに含む請求項３４記載の方法。
【請求項３６】
前記気象予報を決定することは、コンピュータ機能を備えた家屋の操作のために実行される請求項２１記載の方法。
【請求項３７】
前記気象予報を決定することは、移動中の乗り物のために実行される請求項２１記載の方法。
【請求項３８】
前記の時間期間の長さは、利用者の要求に応じて決定される請求項１記載の方法。
【請求項３９】
前記時間期間の開始時刻は、利用者の要求に応じて決定される請求項１記載の方法。
【請求項４０】
前記時間期間と前記地域の少なくとも一つは、利用者の設定に応じて決定される請求項１記載の方法。
【請求項４１】
前記設定は、前記利用者によって提出される情報に応じて決定される請求項４０記載の方法。
【請求項４２】
前記設定に応じて決定された装置によって利用者に気象予報に関する情報を表示することをさらに含む請求項４０記載の方法。
【請求項４３】
以下の段階を含む位置に基づいたナウキャストを提供する方法であってナウキャストは、約半径５ｋｍ未満の位置に応じて決定される方法：
（ａ）  要求を公共の通信ネットワークを通してコンピュータに送信することによる、利用者が選択したナウキャストパラメータの時間展開のための、利用者による要求の開始（ただし、前記時間展開は、約６０分未満の時間期間について実行される）；
（ｂ）  利用者のセルの位置の決定；
（ｃ）  複数のデータ取得元から複数の地球物理学的パラメータの少なくとも二つについての情報を含んでいる未処理のデータを受信する；
（ｄ）  予報されたパラメータの時間経過を伴った一連の図を作成するために前記未処理のデータを処理する；
（ｅ）  利用者が要求したナウキャストパラメータの時間展開を、前記予報されたパラメータの時間経過を伴った一連の図から、前記時間経過についての前記セルの位置の決定によって抽出する；および
（ｆ）  利用者が選択したナウキャストパラメータについて前記時間展開内に前記利用者に情報を配布する。
【請求項４４】
以下の段階を含む位置に基づいたナウキャストを提供する方法であってナウキャストは、約半径５ｋｍ未満の位置に応じて決定される方法：
（ａ）  利用者のために位置を決定すること；
（ｂ）  複数のデータ取得元から地球物理学的パラメータの少なくとも一つについての情報を含んでいる未処理のデータを受信する；
（ｃ）  前記未処理のデータを所定時間について地理的な領域にわたる図を作成するために処理する；
（ｄ）  前記図を複数のセルに分割して地域図を形成する；および
（ｅ）  気象学的な特質に対応している複数のセルのためにナウキャストを決定する。